(57)【要約】【課題】  クラウンにおけるマーク等の意匠部が施された箇所であっても、ベンチレーションを行うことができる帽子を提供する。【解決手段】  着用者の頭部を覆うためのクラウン１０が、クラウン１０の外面を形成するクラウン表地１１と、クラウン１０の内面を形成するメッシュ状のクラウン裏地１２とで構成され、クラウン表地１１に、所定形状に開口された通気用開口部１１ａ１，１１ｂ１が設けられた帽子において、クラウン裏地１１における通気用開口部１１ａ１，１１ｂ１に重なる箇所に、文字、模様若しくは色彩又はこれらの結合からなる裏地側意匠部α２，β２を設け、裏地側意匠部α２，β２が、通気用開口部１１ａ１，１１ｂ１を通じてクラウン１０の外部から視認できるようにした。【選択図】図２
2018193621.tif 000002
【特許請求の範囲】
【請求項１】
着用者の頭部を覆うためのクラウンが、
クラウンの外面を形成するクラウン表地と、
クラウンの内面を形成する、メッシュ状のクラウン裏地と、
で構成され、
クラウン表地に、所定形状に開口された通気用開口部が設けられた
帽子であって、
クラウン裏地における、クラウン表地の通気用開口部に重なる箇所に、文字、模様若しくは色彩又はこれらの結合からなる裏地側意匠部が設けられ、
裏地側意匠部が、通気用開口部を通じてクラウンの外部から視認できるようにした
ことを特徴とする帽子。
【請求項２】
裏地側意匠部が、刺繍、着色若しくはワッペン又はこれらの結合によってクラウン裏地に設けられたものとされた請求項１記載の帽子。
【請求項３】
クラウン表地における通気用開口部の開口縁に沿った箇所が、刺繍によって縁取りされた請求項１又は２記載の帽子。
【請求項４】
通気用開口部の開口縁が、裏地側意匠部の外縁線に倣った形状とされた請求項１〜３いずれか記載の帽子。
【請求項５】
通気用開口部が、クラウン表地における複数箇所に設けられ、
クラウン裏地における、クラウン表地のそれぞれの通気用開口部に重なる箇所に、裏地側意匠部が表わされた
請求項１〜４いずれか記載の帽子。
【請求項６】
請求項１〜５いずれか記載の帽子の製造方法。
【発明の詳細な説明】
【技術分野】
【０００１】
本発明は、クラウンがクラウン表地とメッシュ状のクラウン裏地とで構成され、ベンチレーションを行うための通気用開口部がクラウン表地に設けられた帽子と、この帽子の製造方法とに関する。
【背景技術】
【０００２】
強い日差しを長時間に亘って頭部に浴びると日射病にかかるおそれがあるために、日差しの強い日中における野外活動は帽子を被って行うように薦められている。しかし、夏の暑い時期に帽子を被ると、頭が蒸れて不快さを感じることも多いために、帽子を敬遠する者も多い。特に、撥水加工や防水加工が施された生地でクラウンを形成した帽子は、通気性を確保することが困難であるために、そのような傾向が強い。このような実状に鑑みてか、帽子メーカーは、通気性を向上させるための様々な工夫を帽子に施すようになってきている。
【０００３】
例えば、本出願人は、特許文献１に示されるように、クラウンをクラウン表地（同文献の図４における「クラウン１０」を参照。）とメッシュ状のクラウン裏地（同文献の図５における「メッシュシート２０」を参照。）とで構成し、クラウン表地に通気用開口部（同文献の図１〜４における「通気用開口部Ｏ１，Ｏ２」を参照。）を設けた帽子を既に提案している。これにより、クラウンの遮光性を維持しながらも、クラウンの通気性を向上させることが可能となっている。
【先行技術文献】
【特許文献】
【０００４】
【特許文献１】特開２０１−１３８５２６号公報
【発明の概要】
【発明が解決しようとする課題】
【０００５】
ところが、帽子のクラウンの外面には、その帽子の着用者が在籍する学校名やチーム名を表すためや、帽子のブランド名を表すため等に、マーク等の意匠部が設けられることがある。この種の意匠部は、クラウン表地の外面に刺繍を施すことや、ワッペンを貼り付けることによって設けられることが多いところ、この種の意匠部がクラウン表地に設けられた帽子では、その意匠部が設けられた箇所に上記の通気用開口部を設けることができず、その意匠部が設けられた箇所ではベンチレーションを行うことができないという問題があった。
【０００６】
本発明は、上記課題を解決するためになされたものであり、クラウンにおけるマーク等の意匠部が施された箇所であっても、ベンチレーションを行うことができる帽子を提供するものである。また、この帽子を製造するための帽子の製造方法を提供することも本発明の目的である。
【課題を解決するための手段】
【０００７】
上記課題は、
着用者の頭部を覆うためのクラウンが、
クラウンの外面を形成するクラウン表地と、
クラウンの内面を形成する、メッシュ状のクラウン裏地と、
で構成され、
クラウン表地に、所定形状に開口された通気用開口部が設けられた
帽子であって、
クラウン裏地における、クラウン表地の通気用開口部に重なる箇所に、文字、模様若しくは色彩又はこれらの結合からなる裏地側意匠部が設けられ、
裏地側意匠部が、通気用開口部を通じてクラウンの外部から視認できるようにした
ことを特徴とする帽子
を提供することによって解決される。
【０００８】
このように、クラウン裏地における、クラウン表地の通気用開口部に重なる箇所に、意匠部（裏地側意匠部）を設けることによって、クラウンにおけるマーク等の意匠部が施された箇所であっても、ベンチレーションを行うことが可能になる。
【０００９】
本発明の帽子において、クラウン裏地に裏地側意匠部を設ける態様は、特に限定されない。クラウン裏地に裏地側意匠部を設ける態様としては、刺繍、着色若しくはワッペン又はこれらの結合が例示される。
【００１０】
裏地側意匠部を刺繍によって設けると、裏地側意匠部を立体的に設ける（盛り上がった状態に設ける）ことができるとともに、帽子の高級感を高めることができるという利点がある。また、裏地側意匠部を着色（プリント等）によって設けると、その着色した部分、すなわちマーク等の裏地側意匠部を施した部分において、クラウン裏地の目（上記のように、クラウン裏地はメッシュ状とされる）が塞がれないようにし、裏地側意匠部を刺繍等で設けた場合と比較してその部分の通気性を良好に保ちやすいという利点がある。さらに、裏地側意匠部をワッペンによって設けると、緻密で凝った意匠を表わしやすいという利点に加えて、帽子の歩留まりをよくすることができるという利点もある。
【００１１】
本発明の帽子において、クラウン表地における通気用開口部の開口縁には、通常、ほつれ防止処理が施される。このほつれ防止処理は、パイピング処理やかがり縫い等によって行ってもよいが、クラウン表地における通気用開口部の開口縁に沿った箇所を、刺繍によって縁取りすることによって行うと好ましい。
【００１２】
これにより、クラウン表地における通気用開口部の開口縁にほつれ防止処理を行うだけでなく、帽子の高級感を高めることが可能になる。加えて、裏地側意匠部だけでなく、通気用開口部の開口縁も、マーク等の意匠部を構成する一部（表地側意匠部）と認識されやすくして、裏地側意匠部と表地側意匠部とで構成される意匠部の意匠性を高めることも可能になる。例えば、裏地側意匠部の刺繍に用いる糸と表地側意匠部の刺繍に用いる糸とで色を変えること等によって、裏地側意匠部と表地側意匠部とで構成される意匠部の見た目に変化を持たせることが可能になる。
【００１３】
本発明の帽子において、通気用開口部の開口縁は、裏地側意匠部の外縁線とは全く異なる形状としてもよいが、裏地側意匠部の外縁線に倣った形状とすると好ましい。例えば、裏地側意匠部を菱型とした場合には、通気用開口部の開口縁も菱型に形成し、裏地側意匠部を星型とした場合には、通気用開口部の開口縁も星型に形成するといった具合である。
【００１４】
このように、通気用開口部の開口縁を、裏地側意匠部の外縁線に倣った形状とすることによっても、通気用開口部の開口縁を、マーク等の意匠部を構成する一部（表地側意匠部）と認識されやすくすることが可能になる。この構成は、上述した刺繍による縁取りの構成（クラウン表地における通気用開口部の開口縁に沿った箇所を、刺繍によって縁取りする構成）と合わせて採用すれば、より好適である。
【００１５】
本発明の帽子においては、通気用開口部及び裏地側意匠部を、クラウンにおける１箇所のみに設けてもよいが、複数箇所に設けると好ましい。具体的には、
通気用開口部を、クラウン表地における複数箇所に設け、
クラウン裏地における、クラウン表地のそれぞれの通気用開口部に重なる箇所に、裏地側意匠部を表わす
と好ましい。
【００１６】
このように、通気用開口部を複数箇所に設けることによって、帽子をベンチレーション機能により優れたものとすることが可能になる。特に、通気用開口部の配置によっては、一の通気用開口部からクラウン内部に入り込んだ空気が、他の通気用開口部を通じてクラウン外部へと抜け出るようにすることも可能になる。
【発明の効果】
【００１７】
以上のように、本発明によって、クラウンにおけるマーク等の意匠部が施された箇所であっても、ベンチレーションを行うことができる帽子を提供することが可能になる。また、この帽子を製造するための帽子の製造方法を提供することも可能になる。
【図面の簡単な説明】
【００１８】
【図１】第一実施態様の帽子を示した斜視図である。
【図２】第一実施態様の帽子を各部に分解した状態を示した斜視図である。
【図３】第一実施態様の帽子における第一意匠部を、第一意匠部の正面から見た状態を拡大して示した図である。
【図４】第一実施態様の帽子におけるクラウン表地とクラウン裏地とを重ね合わせて第一意匠部を構成する様子を拡大して示した斜視図である。
【図５】第一実施態様の帽子における第二意匠部を、第二意匠部の正面から見た状態を拡大して示した図である。
【図６】第一実施態様の帽子におけるクラウン表地とクラウン裏地とを重ね合わせて第二意匠部を構成する様子を拡大して示した斜視図である。
【図７】第二実施態様の帽子を示した斜視図である。
【発明を実施するための形態】
【００１９】
０．  本発明の帽子
本発明に係る帽子の好適な実施態様について、図面を用いてより具体的に説明する。以下においては、主に、第一実施態様及び第二実施態様の２つの実施態様を例に挙げて、本発明の帽子を説明する。しかし、本発明の帽子の技術的範囲は、これらの実施態様に限定されることなく、発明の趣旨を損なわない範囲で適宜変更を施すことができる。
【００２０】
１．  第一実施態様の帽子
まず、第一実施態様の帽子について説明する。図１は、第一実施態様の帽子を示した斜視図である。図２は、第一実施態様の帽子を各部に分解した状態を示した斜視図である。図３は、第一実施態様の帽子における第一意匠部αを、第一意匠部αの正面から見た状態を拡大して示した図である。図４は、第一実施態様の帽子におけるクラウン表地１１とクラウン裏地１２とを重ね合わせて第一意匠部αを構成する様子を拡大して示した斜視図である。図５は、第一実施態様の帽子における第二意匠部βを、第二意匠部βの正面から見た状態を拡大して示した図である。図６は、第一実施態様の帽子におけるクラウン表地１１とクラウン裏地１２とを重ね合わせて第二意匠部βを構成する様子を拡大して示した斜視図である。
【００２１】
第一実施態様の帽子は、着用者の頭部を覆うクラウン１０（図１）と、クラウン１０から前方に突出して設けられた鍔２０（図１）と、クラウン１０の下縁部内側に沿って帯状に設けられたビン皮３０（図２）と、クラウン１０における縫合部分をクラウン１０の内側から補強するための裏打ち用帯片４０（図２）とを備えたものとなっている。クラウン１０は、図２に示すように、クラウン１０の外面を形成するクラウン表地１１と、クラウン１０の内面を形成するクラウン裏地１２とで構成されている。クラウン裏地１２は、メッシュ状の素材（シート）によって形成されており、クラウン表地１１の内面に沿って配されるようになっている。
【００２２】
第一実施態様の帽子は、図１に示すように、クラウン１０の外面における前側部分に第一意匠部αが施され、クラウン１０の外面における左横部分に第二意匠部βが施されたものとなっている。第一意匠部αや第二意匠部βは、装飾性を有するものであると好ましいが、その帽子の着用者の所属を表わす機能や、帽子自体の出所を表す機能等を有するのであれば、必ずしも装飾性を有するものに限定されない。例えば、帽子の着用者が在籍する学校名やチーム名を表すためのマーク等や、帽子のブランド名を表すためのマーク等を、第一意匠部αや第二意匠部βとして表わすこともできる。
【００２３】
第一実施態様の帽子において、第一意匠部αは、図３に示すように、アルファベットの「Ｈ」の文字を装飾的に表わしたマークとしており、第二意匠部βは、図５に示すように、星型のマークとしている。ただし、これらのマークは、飽くまで一例に過ぎない。第一意匠部αと第二意匠部βには、文字、模様若しくは色彩又はこれらの結合によって構成された各種の意匠を採用することができる。第一意匠部α及び第二意匠部βは、意匠部としての機能だけでなく、後述するように、帽子のクラウン１０にベンチレーション機能を付与する通気部分としての機能をも発揮する部分となっている。
【００２４】
クラウン表地１１は、図１及び図２に示すように、それぞれが略三角状を為す複数枚の表地用分割生地１１ａ，１１ｂ，１１ｃ，１１ｄ，１１ｅの側縁同士を互いに縫着することによって略半球状に形成される。また、クラウン裏地１２は、図１及び図２に示すように、それぞれが略三角状を為す複数枚の裏地用分割生地１２ａ，１２ｂ，１２ｃ，１２ｄ，１２ｅの側縁同士を互いに縫着することによって略半球状に形成される。裏地用分割生地１２ａ，１２ｂ，１２ｃ，１２ｄ，１２ｅは、それぞれ、表地用分割生地１１ａ，１１ｂ，１１ｃ，１１ｄ，１１ｅの内面側に重ねられた状態で配される。
【００２５】
表地用分割生地１１ａ及び裏地用分割生地１２ａは、着用者の頭部前側（前頭部）を覆う部分となっている。上記の第一意匠部αは、この表地用分割生地１１ａと裏地用分割生地１２ａとに施されている。また、表地用分割生地１１ｂ及び裏地用分割生地１２ｂは、着用者の頭部左側（左側頭部）を覆う部分となっている。上記の第二意匠部βは、この表地用分割生地１１ｂと裏地用分割生地１２ｂとに施されている。その他、表地用分割生地１１ｃ及び裏地用分割生地１２ｃは、着用者の頭部右側（右側頭部）を覆う部分となっており、表地用分割生地１１ｄ及び裏地用分割生地１２ｄは、着用者の頭部左後側（左後頭部）を覆う部分となっており、表地用分割生地１１ｅ及び裏地用分割生地１２ｅは、着用者の頭部右後側（右後頭部）を覆う部分となっている。
【００２６】
第一実施態様の帽子において、裏地用分割生地１２ａ，１２ｂ，１２ｃ，１２ｄ，１２ｅの縫合部分は、表地用分割生地１１ａ，１１ｂ，１１ｃ，１１ｄ，１１ｅの縫合部分と重なるようになっており、それぞれの縫合部分では、図２に示す裏打ち用帯片４０が内側から宛がわれて、この裏打ち用帯片４０もともに縫合されるようになっている。このため、クラウン表地１１やクラウン裏地１２の縫合部分がほつれないようにするだけでなく、その縫合部分を補強することも可能となっている。
【００２７】
裏打ち用帯片４０のうち、裏打ち用帯片４１は、表地用分割生地１１ａと表地用分割生地１１ｂとの縫合部分、及び、裏地用分割生地１２ａとウラ地用分割生地１２ｂとの縫合部分に宛がわれるようになっている。同様に、裏打ち用帯片４２は、表地用分割生地１１ａと表地用分割生地１１ｃとの縫合部分、及び、裏地用分割生地１２ａとウラ地用分割生地１２ｃとの縫合部分に宛がわれ、裏打ち用帯片４３は、表地用分割生地１１ｂと表地用分割生地１１ｄとの縫合部分、及び、裏地用分割生地１２ｂとウラ地用分割生地１２ｄとの縫合部分に宛がわれ、裏打ち用帯片４４は、表地用分割生地１１ｃと表地用分割生地１１ｅとの縫合部分、及び、裏地用分割生地１２ｃとウラ地用分割生地１２ｅとの縫合部分に宛がわれ、裏打ち用帯片４５は、表地用分割生地１１ｄと表地用分割生地１１ｅとの縫合部分、及び、裏地用分割生地１２ｄとウラ地用分割生地１２ｅとの縫合部分に宛がわれるようになっている。
【００２８】
クラウン表地１１とクラウン裏地１２は、上記のように、裏地用分割生地１２ａ，１２ｂ，１２ｃ，１２ｄ，１２ｅの側縁、及び、表地用分割生地１１ａ，１１ｂ，１１ｃ，１１ｄ，１１ｅの側縁に重なる箇所で互いに縫合されるところ、第一実施態様の帽子では、さらに、裏地用分割生地１２ａ，１２ｂ，１２ｃ，１２ｄ，１２ｅの下縁、及び、表地用分割生地１１ａ，１１ｂ，１１ｃ，１１ｄ，１１ｅの下縁に重なる箇所においても、クラウン表地１１とクラウン裏地１２とが互いに縫合されるようになっている。
【００２９】
具体的には、表地用分割生地１１ａの下縁と裏地用分割生地１２ａの下縁とが縫合され、表地用分割生地１１ｂの下縁と裏地用分割生地１２ｂの下縁とが縫合され、表地用分割生地１１ｃの下縁と裏地用分割生地１２ｃの下縁とが縫合され、表地用分割生地１１ｄの下縁と裏地用分割生地１２ｄの下縁とが縫合され、表地用分割生地１１ｅの下縁と裏地用分割生地１２ｅの下縁とが縫合されるようになっている。
【００３０】
ただし、クラウン表地１１とクラウン裏地１２は、上記の箇所以外では、縫合等されていない。このため、クラウン表地１１とクラウン裏地１２は、その縫合部分以外では、互いに分離した状態となっており、クラウン表地１１とクラウン裏地１２との隙間を、ベンチレーションを行うための通気空間として機能させることが可能となっている。クラウン表地１１とクラウン裏地１２との隙間には、後述する通気用開口部１１ａ１，１１ｂ１を通じて、外部の空気が導入されるようになっている。
【００３１】
ところで、第一実施態様の帽子においては、ベンチレーション機能を有する第一意匠部α及び第二意匠部βがクラウン１０に設けられていることについては、既に述べた通りである。これらの第一意匠部α及び第二意匠部βは、いずれも、クラウン表地１１に、所定形状を有する通気用開口部１１ａ１，１１ｂ１を設けるとともに、クラウン裏地１２における、その通気用開口部１１ａ１，１１ｂ１に重なる箇所に、文字、模様若しくは色彩又はこれらの結合からなる裏地側意匠部を設けることによって構成したものとなっている。
【００３２】
具体的には、第一意匠部αは、図４（ａ）に示すように、クラウン表地１１の表地用分割生地１１ａに通気用開口部１１ａ１を設けるとともに、クラウン裏地１１における、通気用開口部１１ａ１に重なる箇所に、裏地側意匠部α２を設け、図４（ｂ）に示すように、表地用分割生地１１ａ（クラウン表地１１）の内面側に裏地用分割生地１２ａ（クラウン裏地１２）を重ねることによって構成している。裏地側意匠部α２は、通気用開口部１１ａ１を通じてクラウン１０の外部から視認できる状態となっている。
【００３３】
一方、第二意匠部βは、図６（ａ）に示すように、クラウン表地１１の表地用分割生地１１ｂに通気用開口部１１ｂ１を設けるとともに、クラウン裏地１１における、通気用開口部１１ｂ１に重なる箇所に、裏地側意匠部β２を設け、図６（ｂ）に示すように、表地用分割生地１１ｂ（クラウン表地１１）の内面側に裏地用分割生地１２ｂ（クラウン裏地１２）を重ねることによって構成している。裏地側意匠部β２は、通気用開口部１１ｂ１を通じてクラウン１０の外部から視認できる状態となっている。
【００３４】
第一意匠部αを構成する裏地側意匠部α２と、第二意匠部βを構成する裏地側意匠部β２を設ける態様は、特に限定されないが、刺繍、着色若しくはワッペン又はこれらの結合によって設けると好ましい。第一実施態様の帽子において、第一意匠部αの裏地側意匠部α２は、図４に示すように、メッシュ状の裏地用分割生地１２ａ（クラウン裏地１２）に対して、アルファベットの「Ｈ」の文字を刺繍によって表したものとなっている。このため、裏地側意匠部α２は、立体的に盛り上がった状態となっている。一方、第二意匠部βの裏地側意匠部β２は、図６に示すように、メッシュ状の裏地用分割生地１２ａ（クラウン裏地１２）に対して、星型の図形を印刷によって表したものとなっている。このため、裏地側意匠部β２が設けられた箇所においても、クラウン裏地１２の目が塞がれておらず、通気を行うことができるようになっている。
【００３５】
第二意匠部βの裏地側意匠部β２のように、裏地側意匠部を着色によって表わす場合において、その着色の方法は、特に限定されないが、昇華式プリント（昇華（気化）させたインクで生地を染め抜く方法のプリント）を採用すると好ましい。これにより、メッシュ状のクラウン裏地１２は、気化したインクの細かい粒子で染められるようになり、インクがクラウン裏地１２の目をさらに塞ぎにくくなるため、クラウン裏地１２の通気性を良好に保つことが可能になる。また、メッシュ状のクラウン裏地１２からインクが剥離しにくくすることや、メッシュ状のクラウン裏地１２のゴワつきを防ぐことも可能になる。さらに、クラウン裏地１２にグラデーションが表われる（クラウン裏地１２の色彩が場所に応じて連続的に変化する）ようにすることも容易であり、見栄えのよい意匠部を簡単に表すことも可能になる。第一実施態様の帽子においても、第二意匠部βの裏地側意匠部β２は、昇華式プリントによって着色している。
【００３６】
通気用開口部１１ａ１及び通気用開口部１１ｂ１の開口縁は、それぞれ、裏地側意匠部α２及び裏地側意匠部β２の外縁線とは全く異なる形状としてもよい。しかし、第一実施態様の帽子において、通気用開口部１１ａ１は、裏地側意匠部α２の外縁線に倣った略「Ｈ」字状としており、通気用開口部１１ｂ１は、裏地側意匠部β２の外縁線に倣った略星型としている。このため、通気用開口部１１ａ１の開口縁によって裏地側意匠部α２の形状をさらに目立たせるとともに、通気用開口部１１ｂ１の開口縁によって裏地側意匠部β２の形状を目立たせることが可能となっている。すなわち、通気用開口部１１ａ１の開口縁を、第一意匠部αの構成要素として機能させるとともに、通気用開口部１１ｂ１の開口縁を、第二意匠部βの構成要素として機能させることが可能となっている。この構成は、後述するように、通気用開口部１１ａ１，１１ｂ１の開口縁に、刺繍α１，β１による縁取りを施す場合に採用すると好適である。
【００３７】
このとき、通気用開口部１１ａ１及び通気用開口部１１ｂ１の開口縁は、それぞれ、裏地側意匠部α２及び裏地側意匠部β２の外縁線に一致する又は当該外縁線よりも内側に位置するように設けてもよい。しかし、第一実施態様の帽子においては、通気用開口部１１ａ１を、裏地側意匠部α２よりも一回り大きく設けるとともに、通気用開口部１１ｂ１を、裏地側意匠部β２よりも一回り大きく設けている。
【００３８】
このため、通気用開口部１１ａ１の開口縁と裏地側意匠部α２の外縁線との間には、図３に示すように、幅が略一定の隙間（クラウン裏地１２における裏地側意匠部α２が設けられていない部分のうち、通気用開口部１１ａ１から露出する部分。以下において、「第一意匠部αの裏地露出隙間」と呼ぶことがある。）が形成されるようになっている。同様に、通気用開口部１１ｂ１の開口縁と裏地側意匠部β２の外縁線との間にも、図５に示すように、幅が略一定の隙間（クラウン裏地１２における裏地側意匠部β２が設けられていない部分のうち、通気用開口部１１ｂ１から露出する部分。以下において、「第二意匠部βの裏地露出隙間」と呼ぶことがある。）が形成されるようになっている。
【００３９】
このように、第一意匠部αの裏地露出隙間や第二意匠部βの裏地露出隙間を設けることによって、これらの隙間も、第一意匠部αや第二意匠部βの構成要素として機能させることが可能になる。この構成は、クラウン裏地１２の色が、裏地側意匠部α２，β２の色、及び、クラウン表地１１における通気用開口部１１ａ１，１１ｂ１の開口縁周辺の色のいずれとも異なる場合に、採用すると好適である。
【００４０】
クラウン表地１１における通気用開口部１１ａ１，１１ｂ１の開口縁には、通常、ほつれ防止処理が施される。既に述べたように、このほつれ防止処理は、パイピング処理やかがり縫い等によって行ってもよいが、第一実施態様の帽子においては、図４及び図６に示すように、クラウン表地１１における通気用開口部１１ａ１，１１ｂ１の開口縁に沿った箇所を、刺繍α１，β１によって縁取りすることによって、上記のほつれ防止処理を行っている。これにより、帽子の高級感を高めるとともに、通気用開口部１１ａ１，１１ｂ１の開口縁（刺繍α１，β１）も、意匠部を構成する一部（表地側意匠部）と認識させることが可能となり、意匠部α，βの意匠性を高めることが可能となっている。
【００４１】
以上のように、第一実施態様の帽子は、メッシュ状のクラウン裏地１２における、クラウン表地１１の通気用開口部１１ａ１，１１ｂ１に重なる箇所に、裏地側意匠部α２，β２を設けたことによって、クラウン１０における意匠部α，βが施された箇所であっても、ベンチレーションを行うことが可能となっている。
【００４２】
２．  第二実施態様の帽子
続いて、第二実施態様の帽子について説明する。図７は、第二実施態様の帽子を示した斜視図である。以下においては、主に、第一実施態様の帽子と異なる部分を例に挙げて、第二実施態様の帽子の説明を行う。第二実施態様の帽子において特に言及しない構成は、第一実施態様の帽子と同様の構成を採用することができる。
【００４３】
図１に示した第一実施態様の帽子では、クラウン表地１１が、５枚の表地用分割生地１１ａ，１１ｂ，１１ｃ，１１ｄ，１１ｅで構成されていた。これに対し、第二実施態様の帽子では、第一実施態様の帽子における表地用分割生地１１ａに相当する部分が、図７に示すように、着用者の前頭部左側を覆う表地用分割生地１１ｘと、着用者の前頭部右側を覆う表地用分割生地１１ｙとに分割された状態となっている。このため、第二実施態様の帽子は、そのクラウン表地１１が計６枚の表地用分割生地１１ｘ，１１ｙ，１１ｂ，１１ｃ，１１ｄ，１１ｅで構成されている。
【００４４】
この第二実施態様の帽子には、以下のような利点がある。すなわち、第一実施態様の帽子では、クラウン表地１１及びクラウン裏地１２における、第一意匠部αが設けられる前頭部側を、それぞれ、縫合部分のない１枚の表地用分割生地１１ａ及び裏地用分割生地１２ａで構成することによって、第一意匠部αを綺麗に設けやすくしていた。しかし、クラウン表地１１における、着用者の前頭部を覆う表地用分割生地１１ａは、保形性に優れた硬い生地（厚めの生地）が用いられることが多いところ、この部分を１枚の生地で構成すると、クラウン１０が綺麗な半球状となりにくい。この点、第二実施態様の帽子のように、クラウン表地１１における、着用者の前頭部を覆う部分を２枚の表地用分割生地１１ｘ，１１ｙで構成することによって、表地用分割生地１１ｘ，１１ｙに、保形性に優れた硬い生地を使用した場合であっても、クラウン１０を綺麗な半球状にすることが可能となっている。
【００４５】
ただし、第二実施態様の帽子では、表地用分割生地１１ｘと表地用分割生地１１ｙとの縫合部分が、第一意匠部αを通るようになる。このため、第二実施態様の帽子において、この縫合部分（表地用分割生地１１ｘと表地用分割生地１１ｙとの縫合部分）で、クラウン表地１１に対してクラウン裏地も縫合してしまうと、第一意匠部αの周辺のクラウン表地１１がクラウン裏地に対して浮き上がりにくくなり、第一意匠部αを通じてクラウン表地１１とクラウン裏地との間に外気が導入されにくくなる。このため、第一意匠部αによるベンチレーション効果が低下する虞がある。
【００４６】
したがって、第二実施態様の帽子では、表地用分割生地１１ｘと表地用分割生地１１ｙとを縫合した部分では、クラウン表地１１に対してクラウン裏地１２を縫合しないようにすると好ましい。これにより、クラウン表地１１の縫合部分が第一意匠部αを通る場合であっても、第一意匠部αによるベンチレーション効果を維持することが可能になる。
【００４７】
第二実施態様の帽子において、表地用分割生地１１ｘ及び表地用分割生地１１ｙの裏側に位置するクラウン裏地は、第一実施態様の帽子と同様、１枚の裏地用分割生地（図２における裏地用分割生地１２ａを参照）で構成してもよいし、表地用分割生地１１ｘ及び表地用分割生地１１ｙと同様の２枚の裏地用分割生地で構成してもよい。
【００４８】
５．用途
本発明に係る構成は、それを用いる帽子の種類を特に限定されず、クラウンが、クラウン表地と、メッシュ状のクラウン裏地とで構成された各種の帽子において採用することができる。本発明に係る構成を採用できる帽子としては、野球帽やゴルフキャップ等の運動帽や、通学帽や、作業帽等が例示される。
【符号の説明】
【００４９】
１０      クラウン
１１      クラウン表地
１１ａ    表地用分割生地
１１ａ１  通気用開口部
１１ｂ    表地用分割生地
１１ｂ１  通気用開口部
１１ｃ    表地用分割生地
１１ｄ    表地用分割生地
１１ｅ    表地用分割生地
１２      クラウン裏地
１２ａ    裏地用分割生地
１２ｂ    裏地用分割生地
１２ｃ    裏地用分割生地
１２ｄ    裏地用分割生地
１２ｅ    裏地用分割生地
２０      鍔
３０      ビン皮
４０      裏打ち用帯片
α      第一意匠部
α１    刺繍（表地側意匠部）
α２    裏地側意匠部
β      第二意匠部
β１    刺繍（表地側意匠部）
β２    裏地側意匠部
【図１】
2018193621.tif 000003
【図２】
2018193621.tif 000004
【図３】
2018193621.tif 000005
【図４】
2018193621.tif 000006
【図５】
2018193621.tif 000007
【図６】
2018193621.tif 000008
【図７】
2018193621.tif 000009